(57)【要約】      （修正有） 【課題】携帯電話の臨時電源の表面に個々人夫々のデザイン性を考慮して夫々に簡単に独自の装飾を施すことを可能とすると共に、簡単かつ任意の装飾の付与を可能とする臨時電源の装飾体を提供する。【解決手段】携帯電話の臨時電源の表面に着脱自在に装着できる装飾体からなり、装飾体の少なくとも一面に接着部材を有し、該接着部材によって臨時電源の表面に装着する携帯電話の臨時電源の装飾体によって解決できる。【選択図】図１
0003142246.tif 000002
【実用新案登録請求の範囲】
【請求項１】
携帯電話の臨時電源の表面に着脱自在に装着できる装飾体１であって、
装飾体１の少なくとも一面に接着部材２を有し、該接着部材２によって臨時電源の表面に装着することを特徴とする携帯電話の臨時電源の装飾体。
【請求項２】
該装飾体１と共に他の装飾体１を任意箇所に装着可能であることを特徴とする請求項１記載の携帯電話の臨時電源の装飾体。
【請求項３】
該装飾体１がシート地よりなり、少なくともその一面に接着部材２を有することを特徴する請求項１又は２のいずれかに記載の携帯電話の臨時電源の装飾体。
【請求項４】
該装飾体１の接着する臨時電源との接触面とは異なる該装飾体１の表面に接着部材２を有し、該表面の接着部材２によって他の装飾体１を該装飾体１に接着するものであることを特徴とする請求項１乃至３のいずれかに記載の携帯電話の臨時電源の装飾体。
【請求項５】
他の装飾体１は接着部材を有さないものであることを特徴とする請求項２又は４のいずれかに記載の携帯電話の臨時電源の装飾体。
【請求項６】
他の装飾体１の少なくとも一面に接着部材２を有するものであることを特徴とする請求項２、４又は５のいずれかに記載の携帯電話の臨時電源の装飾体。
【請求項７】
該装飾体１及び／又は他の装飾体１の表面に光沢を有する樹脂材が施されているものであることを特徴とする請求項１乃至６のいずれかに記載の携帯電話の臨時電源の装飾体。
【請求項８】
該装飾体１及び／又は他の装飾体１が、立体形状よりなることを特徴とする請求項１乃至７のいずれかに記載の携帯電話の臨時電源の装飾体。
【請求項９】
他の装飾体１が宝玉又はガラス球よりなることを特徴とする請求項２、４乃至８のいずれかに記載の携帯電話の臨時電源の装飾体。
【請求項１０】
立体形状よりなる該装飾体１及び／又は他の装飾体１の携帯電話の臨時電源の表面又は装飾体１への接触面が立体形状よりなることを特徴とする請求項１乃至９のいずれかに記載の携帯電話の臨時電源の装飾体。
【請求項１１】
立体形状よりなる装飾体１の携帯電話の臨時電源との接着面を平面に形成してなることを特徴とする請求項１乃至９のいずれかに記載の携帯電話の臨時電源の装飾体。
【考案の詳細な説明】
【技術分野】
【０００１】
本考案は、携帯用臨時電源の装飾体に関し、より具体的には携帯電話用の臨時電源の表面に着脱可能な装飾を施すことのできる携帯電話用臨時電源の装飾体に関する。
【背景技術】
【０００２】
従来より、携帯電話自体に関しては、デザイン性を高める点から各種装飾体を該携帯電話の表面に接着するものは存在した。
例えば特開２０００-２２７７５９号（特許文献１）に示す装飾シールや実用新案登録第３０８２７３８号（特許文献２）に示す携帯電話用のケースが存在する。
この他、携帯電話を含む携帯用品用のシールアクセサリーとしては実用新案登録第３１１０７７７号（特許文献３）に示すシールが存在する。
【特許文献１】特開２０００-２２７７５９号
【特許文献２】実用新案登録第３０８２７３８号
【特許文献３】実用新案登録第３１１０７７７号
【考案の開示】
【考案が解決しようとする課題】
【０００３】
まず、特許文献１に示す装飾シールは、そもそもその前提として携帯電話の表面に装着するものとして提唱されているものであり、携帯電話表面の形状を前提にシール形状が特定されその上で形成されているものである。
したがって、予め定まった形状をもとに構成されているものであり、個々人の夫々のデザイン性やセンスに基づいて任意に貼れるものとは異なる。
したがって、既製の形状のシールの貼着によりそのデザイン性を発揮するものであって個々人夫々の趣味や感性などに基づいて個人個人異なる形状の装飾を施すことはできないものであった。
【０００４】
この他、特許文献２においても前記と同様に既製のケースの装着によるデザイン性の発揮は可能であるが、個々人夫々に応じた異なるデザインの提供はできないものであった。
更にこれらは携帯電話機本体の表面の装飾を行なうものであり、その余の特に携帯電話用の備品類に関しての装飾を行なうものではなかった。
これに対してこの携帯電話を含む他の携帯品を含めた装飾用シールとして特許文献３が存在する。
【０００５】
この場合特にシールによってアクセサリーを装着するものであるが、アクセサリー自体を直接携帯品に装着するのではなく、予めアクセサリーを透明シートとセパレータに挟んで装飾位置を特定してその後にセパレータを剥がして携帯品に貼り付け、その上で透明シートを剥がして装着するものである。
アクセサリーを装着する点で極めて有効であるが、反面セパレータと透明シートに挟んで装飾状態を作ることが必要であり、その装飾体の装着位置の微調整が極めて難しいものである。
【０００６】
したがって、ある程度大きい装飾体に関しては用いられるが、小さい微小なアクセサリー類には使い勝手が悪いものである。
このことから装飾体を貼着するべき大きさの小さいものや平面面積が小さい携帯品には用いにくいものであった。
更には、一の装飾形態を作り上げた場合にはそれ自体の装着か取り外ししかできないものであり、個々人による微細なアクセサリを順次好みによって付け足したり、修正したりしてデザインを楽しむ上では使い勝手の良くないものであった。
【０００７】
したがって、個々人夫々のセンスや趣味性などによって個々人夫々に応じた各人異なる装飾アクセサリーを装着可能とする何らかの装飾体が望まれているものであった。
併せて現在携帯電話の装飾は各種行なわれるがこの臨時電源に関しては装飾性の範疇に現在まで入っておらず何らかの装飾を行なえるようにすることが望まれるものである。
特に大きいものから極めて小さいサイズまでの各種大きさを有する立体的な臨時電源に最も適したその表面装飾の可能な装飾体の提供が望まれているものである。
【０００８】
即ち、特許文献３には携帯電話の臨時電源に関しての装飾性は明示も示唆もされておらず、従来その装飾性はほぼ形状や色彩などによって特定するだけであり、個々人夫々のデザイン性を考慮して夫々に簡単に独自の装飾を施す方策はなかったものであるが、個々人のデザイン性を表に出すと共に個性の主張の場として携帯電話の臨時電源に装飾を施すことが簡単にできるような何らかの方策が望まれているものである。
【課題を解決するための手段】
【０００９】
以上のような課題を見事に解決するため本考案がなされたものであり、携帯電話の臨時電源自体に装飾を施すことができると共に個々人によって任意の装飾とすることができる装飾体であって、更にはその装飾を施すに際しても簡単かつキレイに装着でき又微小なデザインの付与も出来る装飾体の提供を可能とする考案である。
係るため請求項１に係る考案は、携帯電話の臨時電源の表面に着脱自在に装着できる装飾体であって、装飾体の少なくとも一面に接着部材を有し、該接着部材によって臨時電源の表面に装着する携帯電話の臨時電源の装飾体からなるものであり、係る考案によって前記課題を解決できる。
【００１０】
又、請求項２に係る考案は該装飾体と共に他の装飾体を任意箇所に装着可能である携帯電話の臨時電源の装飾体からなるものであってこのような考案でもよい。
更に、請求項３に係る考案のように該装飾体がシート地よりなり、少なくともその一面に接着部材を有する臨時電源の装飾体でも、請求項４に係る考案のように該装飾体の接着する臨時電源との接触面とは異なる該装飾体の表面に接着部材を有し、該表面の接着部材によって他の装飾体を該装飾体に接着する携帯電話の臨時電源の装飾体でもよい。
【００１１】
或いは、請求項５に係る考案のように他の装飾体は接着部材を有さないものであっても、請求項６に係る考案のように他の装飾体の少なくとも一面に接着部材を有するものであってもよい。
これらの場合、請求項７に係る考案のように該装飾体及び／又は他の装飾体の表面に光沢を有する樹脂材が施されているものでも、或いは請求項８に係る考案のように該装飾体及び／又は他の装飾体が、立体形状よりなるものでもよい。
【００１２】
更に、請求項９に係る考案のように他の装飾体が宝玉又はガラス球を用いてもよい。
この他、請求項１０に係る考案のように立体形状よりなる該装飾体及び／又は他の装飾体の携帯電話の臨時電源の表面又は装飾体への接触面が立体形状よりなるものでも、請求項１１に係る考案のように立体形状よりなる装飾体の携帯電話の臨時電源との接着面を平面に形成してなる携帯電話の臨時電源の装飾体を用いてもよい。
【考案の効果】
【００１３】
以上のように構成したことにより、携帯電話の臨時電源に関して個々人夫々のデザイン性を考慮して夫々に簡単に独自の装飾を施すことを可能とするものであり、簡単かつ任意の装飾の付与を可能とするものである。
特に、そのアレンジに関してそれぞれに応じて極めて多彩に施せるものである。
更に、立体形状の装飾体を用いることもできると共に、貼着用の装飾体のみならず一般的な装飾体例えばガラス球や宝石類等の宝飾類や他の各種物品を任意に装着することもできるものであり、広範多彩な装飾を可能とする画期的な考案である。
【考案を実施するための最良の形態】
【００１４】
図１は、本考案に係る携帯電話の臨時電源の表面に臨時電源の装飾体１を施した一例を示す図である。
携帯電話の臨時電源はそもそも携帯電話の表面よりもその面積は極めて小さいものであり、該その小さい面と立体性からなる形状とあいまって、微小の装飾体を任意箇所に接着できるものであることが必要である。
本図に示す構成は、該臨時電源表面に樹脂製の任意形状の花びら状の薄シート地１０や茎状の薄シート地１０からなる装飾体１が貼着していると共に微小のガラス球からなる立体形状の装飾体１１よりなる装飾体１が任意箇所に貼着しているものである。
【００１５】
まず、この装飾体１のうちの薄シート１０は、その一面に接着部材２が貼着してあり、該接着部材２によって臨時電源表面に接着しているものである。
従って、この接着部材の接着力が高いものを使用すれば極めて外れにくい装飾体１の提供ができると共に、複数回の着脱によっても貼着力の落ちにくい接着部材１を用いれば任意に何回でも着脱を可能とするものである。
従って、使用目的に応じて任意の接着部材２を用いればよいものである。
【００１６】
次に立体形状の装飾体であるガラス玉１１に関してはその一部に接着部材２を有して該接着部材２によって臨時電源表面に装着されているものである。
この場合該接着部材２を有する部分の曲面を平らに形成し、該平面部に接着部材２を有して貼着するものであってもよい。
或いは薄シート地１０の表面に更に接着部材を有し、該接着部材によってガラス玉が接着により装着されるものであってもよい。
【００１７】
以上のように、装飾体として薄シート地１０からなる装飾体１と立体形状の装飾体であるガラス玉１１よりなる装飾体１を明示するがこれに限定されるものではなく、樹脂玉や立体形状の任意の形状よりなる各種装飾体或いは平面形状その他各種形状の装飾体であればよい。
例えば宝飾品類を用いるもの例えば宝玉や鉱石類或いはガラス球、樹脂球その他の木皮或いは各種材質からなる装飾体をもって構成するものであればよい。
【００１８】
又、平面状例えばうちシート地や厚手シート地或いは細い紐状物や各種の物体の形状を模したもの或いは幾何学的なもの或いは各種任意の形状や模様を有するものなど各種装飾体１を用いるものであればよい。
この場合、一面に接着部材２を有すればよいが、これに限定されず、接着部材を有さずに他の装飾体１の接着部材２によって接着による装着を可能とするものであってもよい。
又、更にこれ等の装飾体１の表面に光沢を与える樹脂材を塗布したものやラミネート、シール等したものであってもよい。
【００１９】
特に光沢を付与することによって独特の装飾感を打ち出せるものである。
反面つや消し状の樹脂材等の塗布などを行なうものであっても同様に独特の装飾感を表出できるものである。
尚、本明細書上装飾体に関し、臨時電源にまず貼着するのが装飾体１であり、更にこの状態から他の装飾体１を該装飾体上に貼着するものや他の箇所に貼着するものである。
従って、字句の説明上、他の装飾体１として表現するのは特にある装飾体１が存在する前提でそれ以外の装飾体１を指す表現として用いるものであり、両者はそもそも装飾体１としては同じであり、各種形状の装飾体１のなかから任意に選別した装飾体１であればよい。
【００２０】
図２は図１の一部断面図であり、接着部材２によって臨時電源表面に装着している状態を 示す図である。
本図に示す通り、装飾体１の一面に有する接着部材２を介して臨時電源表面に接着しているものであり、これによって任意位置に任意の装飾体１を接着して臨時電源にデザインを好みに応じて施すことができる。
【００２１】
本図のように臨時電源本体表面に接着部材２を介して装飾体１を装着できるものの他、更に装飾体自体の臨時電源の接触面以外にも接着部材を有し、この接着部材によって他の装飾体を臨時電源表面に装着できるものであってもよい。
この様に構成することによって、簡単に装着できると共に各人が夫々簡単にかつ自由に各種装飾体を接着すれば装飾を可能とするものである。
従って、極めて使い勝手の良い、かつ各人夫々の感性に応じたデザインを付与することのできるものである。
【００２２】
図３は、ベースとして薄シート地１０からなる装飾体１を臨時電源に接着し、更に薄シート地１０の臨時電源との接触面と反対面の表面方向に接着部材２を有し、該接着部材２によって更に任意の装飾体１例えば微小なジルコニアや宝石類或いはガラス球等の立体形状の装飾体１１を感性に応じて薄シート地１０からなる装飾体１に接着した状態の一例を示す図である。
該薄シート地１０には裏面に接着部材２を有しており、該接着部材２によって臨時電源表面に接着されるが、更に該薄シート地１０の表面にもその形状などに応じて或いは任意に箇所に接着部材が施されているものである。
【００２３】
該薄シート地１０の表面の接着部材２によって該位置に立体的形状からなる装飾体１１例えばジルコニアやガラス球等が装着されている。
この様に構成することによって夫々使用するものが任意のデザインを臨時電源に施すことができるばかりでなく、極めてデザイン性や装飾性の高いかつ高級感或いは個性溢れるデザインを行なえる臨時電源が得られることと成る。
従って、そもそも接着部材２を有する装飾体１が最も適しており、任意箇所に簡単に装着できるが、接着部材を有さない一般的な物品をも簡単に装飾体１として用いることもできるものである。
【００２４】
図４は、薄シート地状の任意位置に個々の装飾体１を有する臨時電源の装飾体の一例を用いた図であり、例えば透明シートの薄シート地１０１上の任意箇所に花びらの薄シート状の装飾体１００を二箇所有し、全体として花びらを有する装飾体１０を構成し、更にその透明シート地上の任意位置に接着部材２を介して宝玉からなる立体形状の装飾体１１が接着している一例を示す図である。
この様に構成することによって装飾体１の貼着の範囲を広げることができ、更に任意の装飾を楽しめるものである。
【００２５】
尚、装飾体１０上に接着した他の装飾体１１とし立体形状の装飾体である宝玉の一例を示すが、これに代えて例えば薄シート状の他の装飾体１０を貼着するものであってもよい。
更にこの他の装飾体１１を接着する接着部材２は臨時電源に貼着している装飾体１０の表面に有するものであっても或いは他の装飾体１１に接着部材２を有するものであってもいずれでもよい。
【００２６】
図５は、微小なジルコニアや宝石類或いはガラス球等からなる立体形状の装飾体１１の一例を示す図であり、携帯電話の臨時電源の表面によりきっちりと貼着可能とするために貼着面を平面形状に構成し、該平面に接着部材２を有する一例を示す図である。
従ってこの様に構成することによって平面で接着部材２を介して臨時電源表面に接着強度を保って接着できるものである。
この他、例えば接着面をわざわざ平面にせずに立体的形状のままで接着するものであってもよい。
【００２７】
図６は、臨時電源に接着している装飾体１０の形状を利用して他の装飾体を形よく装着する一例を示す図である。
本図に示すように、立体的形状を有する装飾体１１を簡単にかつきっちりと接着できるものである。
更にこの他任意形状の装飾体１を用いる場合であっても、この様に対応形状を用いることによって各種立体的な凹凸のある面においても接着部材を介して接着することができるものである。
【００２８】
尚、そもそも臨時電源に薄シート状の装飾体ではなく立体形状の装飾体をそのまま接着するものでももちろんよいものである。
例えば当初臨時電源の表面に装飾体１を接着し、該装飾体１の対応面即ち臨時電源に接していない面の凹凸を利用して他の装飾体１をきっちりと該装飾体１に接着して装着するものであってもよい。
この場合当該他の装飾体１に接着部材２を有するものであっても、或いは既に臨時電源に装着している該装飾体１の表面である他の装飾体１との接触面に接着部材２を有するものであってもよい。
【００２９】
この様に構成すれば、一般的に多用されている臨時電源用に特に構成された装飾体以外の各種装飾体である宝石類や宝玉類、ガラス球類或いは樹脂性などの各種材質の装飾品類を簡単に装飾体として用いることができる。
本明細書上、薄シート地状の装飾体と立体形状の装飾体は単なる概念的な特定に基づく区別であり、もとより両者ともに少なくとも一定の厚みを有していることからその点で両者とも立体的な装飾体であることは変わりはない。
【００３０】
但し、説明の便宜上両者に分けているものであり、両装飾体とも少なくとも装飾体として臨時電源に接着可能なものであればよく薄シートか否かをそもそも問うものではない。
【図面の簡単な説明】
【００３１】
【図１】本考案に係る臨時電源の装飾体の装着状態の一例を示す図
【図２】本考案に係る臨時電源の装飾体の装着状態の他の一例を示す図
【図３】本考案に係る臨時電源の装飾体の装着状態の他の一例を示す図
【図４】本考案に係る臨時電源の装飾体の装着状態の他の一例を示す図
【図５】本考案に係る臨時電源の装飾体の装着状態の他の一例を示す図
【図６】本考案に係る臨時電源の装飾体の装着状態の他の一例を示す図
【符号の説明】
【００３２】
１      装飾体
１０    薄シート状の装飾体
１００  花びら状の薄シート状の装飾体
１０１  透明の薄シート状の装飾体
１１    立体形状の装飾体
２      接着部材
Ｂ      臨時電源
【図１】
0003142246.tif 000003
【図２】
0003142246.tif 000004
【図３】
0003142246.tif 000005
【図４】
0003142246.tif 000006
【図５】
0003142246.tif 000007
【図６】
0003142246.tif 000008